(57)【要約】      （修正有）【課題】ジャッキより小型であり、冶具の設置場所は機器などの据付物とジャッキとの間に装着する事で、ジャッキ設置スペースがある機器への使用が可能であり、従来の装置や冶具が使用できない環境でも据付精度の精密調整を可能とする。【解決手段】移動対象機器とジャッキの間に設置され、該機器の移動時に発生する摩擦抵抗を低減するためのゼンマイネジ状スプリング２９で保持されたベアリング球２８を装備した冶具で、該冶具のスライド部をアジャスト装置で作動させ、該機器を任意の位置へ自在に移動させる。【選択図】図１２
2017160044.tif 000002
【特許請求の範囲】
【請求項１】
重量物と接触している部品をアキシャル方向へ移動させる螺子付き部品が全水平方向３６０°の任意角度へ自在に移動を可能とした事を特徴とする冶具。
【請求項２】
ジャッキ側部品の円筒形穴に装備する鋼球を穴の央位置へ保持するゼンマイネジ状のスプリングを有し、重量物と分離した無負荷状態に鋼球が該穴の中央位置へ自動リセットを単純構造で安価に可能とした事を特徴とした請求項１に記載の冶具。
【請求項３】
重量物と接触する部品は水平角度を調整できる構造であり、重量物と冶具とジャッキの各作用面がほぼ平行に調整できる事を特徴とした請求項１および請求項２に記載の冶具。
【発明の詳細な説明】
【技術分野】
【０００１】  本発明は、機器や装置など重量物の押し上げに使用されるジャッキに取付け、該重量物を全水平方向へ精密に移動させる事ができる、ジャッキ用冶具に関する技術分野である。
【背景技術】
【０００２】  機器や装置の据付や移設にあたり、該機器を所定の場所に搬送し、定位置への設置を行う。産業設備における該機器の据付精度は１ｍｍ以下の精度が必要となる場合が多く、その精度を達成するために芯出し作業を施工する。
該装置や機器が軽量である場合や、据付場所の広さなどの環境条件がある場合では、バール等の工具を使用した人力による作業や従来の図１の市販スライドベースを使用する。
該装置や機器が重量物である場合や据付場所環境が悪い場所では、該装置や機器の据付芯出し調整が非常に困難であり、専用冶具を設計製作し該装置や機器または据付場所に取り付けて据付芯出しを実施している。
【先行技術文献】
【０００３】
【特許文献１】特開２００２−８７７６５
【特許文献２】特開２００２−３１７９
【特許文献３】特開２００４−７５２４０
【発明の概要】
【発明が解決しようとする課題】
【０００４】  特許文献１においては、大掛かりな装置となり、該装置の設置スペース確保やコスト面が問題とされる。特に移設工事などで既存建屋内に機器装置を据え付けする場合、冶具や作業スペースが限定される事が多く、大掛かりな装置の使用が困難または不可能である。【０００５】  特許文献２においては、特許文献１よりも簡素化されているが、該装置の設置スペースや床面が平坦である等の作業環境確保が必要であり、該装置が使用できない場合がある。【０００６】  特許文献３においては、機械加工のワークにおける設置精度の用途であるが、該装置を据え付け作業に転用した場合、据付機器の移動で使用する台車等の搬送装置から該装置の受け渡し作業が困難である事や据付芯出し調整後に行う設置または基礎面への接地が困難である。【０００７】  据付物を微調整する場合、前記特許文献の装置や図１の様な従来の装置では水平方向の十字方向へ移動は可能でも、他の角度方向への芯出し精密調整は困難である。
また、据付物の支点は３点以上になる事が多く、前記の装置では十字方向以外への芯出し微調整は非常に困難となる。【０００８】  従来の装置や冶具では、専用のジャッキまたは特定のジャッキを使用するため、市販されている各社ジャッキの使用は困難となる。【０００９】  据付物が軽量であれば、バール等の工具やハンマーによる打撃によって据付芯出し調整を実施するが、作業員の熟練度や技能が必要となる。【００１０】  据付物が重量の場合、冶具や装置によって据付芯出しを実施するが、従来の冶具や装置では前記の特許文献と同様に該冶具や装置の使用が困難または不可能である。【００１１】  据付物の芯出し調整にあたり、据付場所の環境や据付対象機器の形状によって、０．５ｍｍから１．０ｍｍクラスの精密調整は困難であり作業員の熟練度や技能が必要となる。また、精密芯出し用の冶具や装置を別途設置する場合があり、作業時間の増加やコスト増加となる。【００１２】  据付物を芯出し調整する冶具でベアリング転動体などの鋼球を用いる場合、据付物の移動距離が長く該冶具を連続使用した場合、該鋼球が冶具のセンターへリセットされているかの確認が困難であり、鋼球位置の不良による冶具の破損や脱落が懸念される。【００１３】  据付物の形状により、冶具を操作するハンドルまたはジャッキボルトが据付物や他構造物と干渉し、該冶具の操作が出来ない場合がある。【００１４】  据付物の底面形状が傾斜などで床面と平行でない場合、ジャッキや従来の装置では該据付物の持ち上げが困難であり、ジャッキの転倒など危険度が高い。
また、据付物が底面傾斜野場合、テーパー形状のライナーやシムを挿入しジャッキや従来の装置の不安定を緩和させるが、テーパー形状にあったライナーを準備する必要があり、迅速な調達が困難である。
【課題を解決するための手段】
【００１５】  請求項１の発明は重量物と接触している部品をアキシャル方向へ移動させる螺子付き部品が全水平方向３６０°の任意角度へ自在に移動を可能とし、従来の装置や冶具で困難とされる全方向への精密調整を可能とした。【００１６】  請求項２の発明はジャッキ側部品の円筒形穴に装備する鋼球を穴の央位置へ保持するゼンマイネジ状のスプリングを有し、重量物と分離した無負荷状態に鋼球が該穴の中央位置へ自動リセットを可能とし、従来の装置や冶具で懸念される該冶具の内部転動体または部品の自動リセットを単純構造で安価に可能とした。【００１７】  請求項３の発明は重量物と接触する部品は水平角度を調整できる構造であり、重量物と冶具とジャッキの各作用面がほぼ平行に調整できる事を可能にした。
【発明の効果】
【００１６】  本発明の冶具は、ジャッキより小型であり、該冶具の設置場所は機器などの据付物とジャッキとの間に装着する事で、ジャッキ設置スペースがある該機器への使用が可能であり、従来の装置や冶具が使用できない環境でも据付精度の精密調整が可能となる。【００１７】  本発明の冶具は、該機器を水平方向へ移動させるアジャスト装置が水平３６０°の任意な角度へのセットが可能であり、全水平方向への精密調整が可能となる。【００１８】  本発明の冶具は、該機器を任意に水平方向へ前後できるアジャスト装置を有しており、機器などの据付物構造や他の構造物との干渉による冶具の使用不可を緩和できる。【００１９】  本発明の冶具は、ジャッキと該冶具の結合にブッシングスリーブを介してセットする構造であり、該スリーブを交換する事で市販の各社ジャッキへの適合が可能となる。【００２０】  本発明の冶具は、リニアレールやスピンドルや制御弁などの高価な部品を必要としなく、構造も従来の装置より簡単であり、該冶具の製作コストを低減できる。【００２１】  本発明の冶具は機器等の据付物との接触面を上限はあるが任意の角度に偏角できる構造であり、機器等の据付物底面が傾斜している場合に該冶具部品を偏角させ、該据付物底面と冶具上面をほぼ平行に調整が可能となる。【００２２】  本発明の冶具は、ジャッキと併用する事で、据付物を垂直方向および水平方向への精密調整を容易に可能とし、高い熟練度や技能を有した作業員を必要としない。
【図面の簡単な説明】
【００２３】
【図１】  従来の据付芯出し調整用スライドベースとジャッキ
【図２】  スライドアタッチメント冶具Ａ（アジャスト装置式）
【図３】  スライドアタッチメント冶具Ｂ（ジャッキボルト式）
【図４】  ジャッキに装着したスライドアタッチメント  イメージ
【図５】  可偏角プレート
【図６】  スライドプレート（アジャストユニット用）
【図７】  スライドプレート（ジャッキボルト用）
【図８】  アジャストユニット
【図９】  スラストプラグ
【図１０】  アジャストフレーム
【図１１】  ジャッキフレーム
【図１２】  ベアリングユニット
【図１３】  ボトムベース
【図１４】  ブッシングスリーブ
【図１５】  アジャスト機能付きスライドプレート
【図１６】  スライドアタッチメント（下部側）
【発明を実施するための形態】
【００２４】  本発明は、従来の装置や冶具が有していた問題を解決する物であり、ジャッキと据付対象機器の間にスライドアタッチメント冶具を取付けし、該冶具のアジャスト装置を作動させる事で該据付対象機器の据付芯出し作業における精密調整を容易に可能とし、据付作業の時間短縮と作業員の熟練度や技能などの作業に必要なスキル低減を目的とする。
【００２５】  以下、本発明の形態を図に基づいて説明する。
【００２６】  図２はスライドアタッチメント冶具Ａの構造である。該冶具Ａは、可偏角プレート３、スライドプレート（アジャストユニット用）４、アジャストユニット５、アジャストフレーム６、ベアリングユニット７、ベースユニット８、ブッシングスリーブ９で構成されている。
【００２６】  図３はスライドアタッチメント冶具Ｂの構造である。内部構造の基本は冶具Ａ同様であるが、スライドプレート（ジャッキボルト用）１１、ジャッキボルト１０で構成される。
【００２７】  図４はスライドアタッチメント冶具をジャッキに装着した状態のイメージである。
ジャッキ先端部に該冶具を装着し、据付対象物をジャッキで押し上げ、対象物を支持し、該冶具のアジャストユニット５またはジャッキボルト１０を作動させ、スライドプレート（アジャストユニット用）４またはスライドプレート（ジャッキボルト用）１１を移動させる構造である。
【００２８】  図５は可偏角プレートの構造である。可偏角プレート１３には、ジャッキボルトを挿入するネジ穴１５を設けており、該ネジ穴にホーローセットボルトを挿入し、スライドプレート１６又は１９の上面に該ボルトを接触させ、各ホーロ−セットの凸量を増減させ、スライドプレートに対しての偏角調整を行い、据付対象機器と該冶具およびジャッキとの平行精度を向上させる。
なお、可偏角プレートにはスライドプレートと固定するためのボルト穴１４を設けており、据付対象機器との平行精度調整後に該ボルト穴を介して、スライドプレートの設けたネジ穴１７と固定する。
【００２９】  図１５はアジャスト機能付きスライドプレートの構造である。図６スライドプレート１６に設けたアジャストユニット取付け部１８に図８のアジャストユニットが取り付けられている。該アジャストユニットはメインシャフト２０の箇所２１にスラストベアリング３８を装備させ、アジャスト装置のアキシャル荷重を保持させる。
また、該スラストプレートと該アジャスト装置の結合部シールとして、該スライドベースにオイルシール３７とスラストプラグ２３を装備する。
【００３０】  図１６はスライドアタッチメント（下部側）の構造である。下部側のスライドアタッチメントは、アジャストフレーム６、ベアリングユニット７、ベースユニット８、ブッシングスリーブ９で構成され、アジャストフレーム６とベースユニットはベアリング３９にて結合されている。これによりベースユニット８に対しアジャストフレーム６は自在に任意の方向へ回転移動が可能となる。
【００３１】  図１５のアジャスト機能付きスライドプレートはアジャストプレート６のスライドユニット作動ネジにセットされ、スライドユニットメインシャフト２０を回転させる事でスライドプレートを任意の位置へ移動が可能となる。
【００３２】  図１１はジャッキボルトフレームの構造である。アジャスト機能付きスライドプレートを使用しない場合に、図７のスライドプレート（ジャッキボルト用）とセットで使用する。
【００３３】  図１２はベアリングユニットの構造である。フレーム３１の円筒穴にベアリング球２８がセットされており、該ベアリング球はゼンマイネジ状スプリング２９を介してフレーム３１と結合される。各部品の脱落防止としてカバープレート３０が該フレームに取付けされる。
スライドアタッチメント冶具を使用し、ジャッキ等の装置で支持された重量物を移動させた時に発生する摩擦抵抗を軽減するために、スライドプレートと共にベアリング球２８が転がり移動をする。
移動作業完了時や中断時に重量物とスライドアタッチメント冶具を開放した状態においては、該ゼンマイネジ状スプリングがベアリング球２８をフレーム３１の円筒穴中心付近に移動および保持を可能とする。
【００３４】  図１４はブッシングスリーブの構造である。該ブッシングスリーブの内径にジャッキ等の装置を結合させ、該スリーブを介してベースユニット８と結合する。
が  ブッシングスリーブの内径部形状は各ジャッキに適合する形状で製作するため、ジャッキヘッドの形状や寸法差異に対応が可能であり、スライドアタッチメント冶具の汎用性を向上させる。
【符号の説明】
【００３５】  １  ・・・  ジャッキ
２  ・・・  スライドベースユニット
３  ・・・  可偏角プレート
４  ・・・  スライドプレート（アジャストユニット用）
５  ・・・  アジャストユニット
６  ・・・  アジャストフレーム
７  ・・・  ベアリングユニット
８  ・・・  ベースユニット
９  ・・・  ブッシングスリーブ
１０  ・・・  ジャッキボルトフレーム
１１  ・・・  スライドプレート（ジャッキボルト用）
１２  ・・・  スライドアタッチメント冶具
１３  ・・・  可偏角プレート
１４  ・・・  六角穴付きボルト挿入穴
１５  ・・・  ジャッキボルト（ホーローセット）用ネジ穴
１６  ・・・  スライドプレート（アジャストユニット用）
１７  ・・・  ネジ穴
１８  ・・・  アジャストユニット挿入箇所
１９  ・・・  スライドプレート（ジャッキボルト用）
２０  ・・・  アジャストユニット  メインシャフト
２１  ・・・  アジャストユニット  スラストベアリング取付け部
２２  ・・・  スラストプラグ取付けネジ
２３  ・・・  スラストプラグ
２４  ・・・  ベアリング取付け部
２５  ・・・  アジャストユニット取付け部
２６  ・・・  ジャッキボルト取付け部
２７  ・・・  ベアリングユニット
２８  ・・・  ベアリング球
２９  ・・・  ゼンマイネジ状スプリング
３０  ・・・  カバープレート
３１  ・・・  フレーム
３２  ・・・  ボトムベース
３３  ・・・  ベアリングユニット取付けネジ穴
３４  ・・・  ベアリング取付け部
３５  ・・・  ブッシングスリーブ取付け部
３６  ・・・  ブッシングスリーブ
３７  ・・・  オイルシール
３８  ・・・  スラストベアリング
３９  ・・・  ラジアルベアリング
４０  ・・・  アジャストユニット作動ネジ部
【図１】
2017160044.tif 000003
【図２】
2017160044.tif 000004
【図３】
2017160044.tif 000005
【図４】
2017160044.tif 000006
【図５】
2017160044.tif 000007
【図６】
2017160044.tif 000008
【図７】
2017160044.tif 000009
【図８】
2017160044.tif 000010
【図９】
2017160044.tif 000011
【図１０】
2017160044.tif 000012
【図１１】
2017160044.tif 000013
【図１２】
2017160044.tif 000014
【図１３】
2017160044.tif 000015
【図１４】
2017160044.tif 000016
【図１５】
2017160044.tif 000017
【図１６】
2017160044.tif 000018